(57)【要約】【課題】遊技者が獲得した遊技媒体の数量を、玉箱を模して表示することにより、遊技媒体の出玉感や溜まり具合をより強く遊技者および周囲にも実感させることができ、遊技者のみならず遊技場全体におけるスリルと興奮を増大させることができる遊技媒体表示装置を提供する。【解決手段】遊技装置１０前に設置されるペアシート２の背面側に設けられ、所定数量のパチンコ玉を貯留する玉箱を模した形状に点灯可能な玉箱表示ユニット３０ａ，３０ｂを複数並設して成る玉箱表示パネル２１を有し、各玉箱表示ユニット３０ａ，３０ｂは、遊技装置１０のパチンコ機本体１１側より遊技者に払い出された景品玉の数量に応じて、順次点灯するように表示制御される。また、玉箱表示パネル２１とは別に、表示部４０により、景品玉の数量は直接数字で表示される。【選択図】図１
2004081578.tif 000002
【特許請求の範囲】
【請求項１】
遊技媒体を用いる遊技機から遊技者が獲得した遊技媒体の数量を目視可能に表示するための遊技媒体表示装置において、
前記遊技機前に設置されるイスの背面側に設けられ、所定数量の遊技媒体を貯留する玉箱を模した形状に点灯可能な玉箱表示ユニットを複数並設して成る玉箱表示パネルを有し、
前記各玉箱表示ユニットは、前記遊技機側より遊技者に払い出された遊技媒体の数量に応じて、順次点灯するように表示可能であることを特徴とする遊技媒体表示装置。
【請求項２】
前記各玉箱表示ユニットは、それぞれ点灯時に示唆する遊技媒体の数量が互いに異なる複数種類の大きさに形成されたことを特徴とする請求項１記載の遊技媒体表示装置。
【請求項３】
前記各玉箱表示ユニットは、一列または複数列で上下に積み重なる状態を模して配置されることを特徴とする請求項１または２記載の遊技媒体表示装置。
【請求項４】
前記各玉箱表示ユニットは、前記遊技機において遊技者に有利な特別遊技状態が発生した場合には、その旨を報知する特別表示状態を表示可能であることを特徴とする請求項１，２または３記載の遊技媒体表示装置。
【請求項５】
前記各玉箱表示ユニットは、自動的または遊技者の操作に基づき、順次点灯するデモ表示状態を表示可能であることを特徴とする請求項１，２，３または４記載の遊技媒体表示装置。
【請求項６】
前記各玉箱表示ユニットは、それぞれ正面側が開口したハウジングの内部に正面側を照射する複数の発光体を配設し、前記ハウジングの正面側に玉箱を象った切欠を形成した板材を装着して構成することを特徴とする請求項１，２，３，４または５記載の遊技媒体表示装置。
【請求項７】
前記遊技機は２台単位で隣設されており、前記イスはペアシートとして構成され、
前記各玉箱表示ユニットは、前記２台分の遊技機側より遊技者に払い出された遊技媒体の数量に応じて、順次点灯するように表示可能であることを特徴とする請求項１，２，３，４，５または６記載の遊技媒体表示装置。
【請求項８】
前記玉箱表示パネルとは別に設けられ、遊技媒体の数量を直接数字で表示可能な表示部を有し、
前記表示部は、前記遊技機側より遊技者に払い出された遊技媒体の数量に応じて、該数量が順次加算された値を直接数字で表示可能であることを特徴とする請求項１，２，３，４，５，６または７記載の遊技媒体表示装置。
【請求項９】
前記表示部は、前記玉箱表示パネルと並ぶように前記イスの背面側に設けられることを特徴とする請求項８記載の遊技媒体表示装置。
【請求項１０】
前記表示部は、自動的または遊技者の操作に基づき、順次数字が加算されるデモ表示状態を表示可能であることを特徴とする請求項８または９記載の遊技媒体表示装置。
【請求項１１】
前記表示部は、７セグメントＬＥＤから成る複数の数表示ユニットを基盤上に並設して構成することを特徴とする請求項８，９または１０記載の遊技媒体表示装置。
【請求項１２】
前記遊技機は２台単位で一体に隣り合わせに配設されており、前記イスはペアシートとして構成され、
前記表示部は、前記２台分の遊技機側より遊技者に払い出された遊技媒体の数量に応じて、該数量が順次加算された値を直接数字で表示可能であることを特徴とする請求項８，９，１０または１１記載の遊技媒体表示装置。
【請求項１３】
前記遊技機は、その遊技機本体に予め封入された遊技媒体を、該遊技機本体内で循環させて使用するものであることを特徴とする請求項１，２，３，４，５，６，７，８，９，１０，１１または１２記載の遊技媒体表示装置。
【発明の詳細な説明】
【０００１】
【発明の属する技術分野】
本発明は、遊技媒体を用いる遊技機から遊技者が獲得した遊技媒体の数量を目視可能に表示するための遊技媒体表示装置に関する。ここで遊技媒体とは主としてパチンコ玉であり、遊技機は一般のパチンコ機に類するものである。
【０００２】
【従来の技術】
従来の遊技機として、遊技機本体に予め封入された遊技媒体を、該遊技機本体内で循環させて使用するパチンコ機がある。かかるパチンコ機は、遊技盤面上に打ち出されて入賞口またはアウト口に入ったパチンコ玉を、機内で研磨搬送して発射位置まで戻し、機内に封入してあるパチンコ玉を繰り返し遊技に使用するいわゆる還元式のパチンコ機として知られている。
【０００３】
このような還元式のパチンコ機では、遊技中に賞として払い出されるパチンコ玉は、現実に受皿に放出されることはなく、持玉数として表示されることが多かった。持玉数の表示は、具体的には例えば、遊技盤面の周囲に設けられた表示プレートや、遊技機に隣接する玉貸機、遊技機上方の幕板パネル等に設けられた出玉表示ランプ等により対応されていた。あるいは、遊技機前のイスの脚部を利用して持玉量を表示する等の提案も既にある。
【０００４】
【発明が解決しようとする課題】
しかしながら、前述したような還元式の遊技機にあっては、遊技者が獲得した持玉数の表示に関して、何れの場合も表示スペースが十分ではないため、なるべくコンパクトに単に持玉数をそのまま数値のみデジタル表示するだけであったり、あるいは小さなランプの点灯による大まかな表示でしかなかった。
【０００５】
このようなパチンコ玉の表示は、還元式以外の一般のパチンコ機で払い出される実際のパチンコ玉を玉箱に詰めて積み上げる状態と比べると、持玉数を視覚的に把握する上でのインパクトが足りないため、遊技者自身のみならず周囲に対しても実際にパチンコ玉が払い出されているという感覚（いわゆる出玉感）の希薄化を招き、ひいては遊技場全体の雰囲気の低迷化を招く虞があった。
【０００６】
本発明は、以上のような従来技術が有する問題点に着目してなされたもので、遊技者が獲得した遊技媒体の数量を、玉箱を模して表示することにより、遊技媒体の出玉感や溜まり具合をより強く遊技者および周囲にも実感させることができ、遊技者のみならず遊技場全体におけるスリルと興奮を増大させることができる遊技媒体表示装置を提供することを目的としている。
【０００７】
【課題を解決するための手段】
前述した目的を達成するための本発明の要旨とするところは、以下の各項に存する。
［１］遊技媒体を用いる遊技機（１１）から遊技者が獲得した遊技媒体の数量を目視可能に表示するための遊技媒体表示装置（２０）において、
前記遊技機（１１）前に設置されるイス（２）の背面側に設けられ、所定数量の遊技媒体を貯留する玉箱を模した形状に点灯可能な玉箱表示ユニット（３０ａ，３０ｂ）を複数並設して成る玉箱表示パネル（２１）を有し、
前記各玉箱表示ユニット（３０ａ，３０ｂ）は、前記遊技機（１１）側より遊技者に払い出された遊技媒体の数量に応じて、順次点灯するように表示可能であることを特徴とする遊技媒体表示装置（２０）。
【０００８】
［２］前記各玉箱表示ユニット（３０ａ，３０ｂ）は、それぞれ点灯時に示唆する遊技媒体の数量が互いに異なる複数種類の大きさに形成されたことを特徴とする［１］記載の遊技媒体表示装置（２０）。
【０００９】
［３］前記各玉箱表示ユニット（３０ａ，３０ｂ）は、一列または複数列で上下に積み重なる状態を模して配置されることを特徴とする［１］または［２］記載の遊技媒体表示装置（２０）。
【００１０】
［４］前記各玉箱表示ユニット（３０ａ，３０ｂ）は、前記遊技機（１１）において遊技者に有利な特別遊技状態が発生した場合には、その旨を報知する特別表示状態を表示可能であることを特徴とする［１］，［２］または［３］記載の遊技媒体表示装置（２０）。
【００１１】
［５］前記各玉箱表示ユニット（３０ａ，３０ｂ）は、自動的または遊技者の操作に基づき、順次点灯するデモ表示状態を表示可能であることを特徴とする［１］，［２］，［３］または［４］記載の遊技媒体表示装置（２０）。
【００１２】
［６］前記各玉箱表示ユニット（３０ａ，３０ｂ）は、それぞれ正面側が開口したハウジング（３１ａ，３１ｂ）の内部に正面側を照射する複数の発光体（３２）を配設し、前記ハウジング（３１，３１ｂ）の正面側に玉箱を象った切欠（２５ａ，２５ｂ）を形成した板材（２５）を装着して構成することを特徴とする［１］，［２］，［３］，［４］または［５］記載の遊技媒体表示装置（２０）。
【００１３】
［７］前記遊技機（１１）は２台単位で隣設されており、前記イス（２）はペアシートとして構成され、
前記各玉箱表示ユニット（３０ａ，３０ｂ）は、前記２台分の遊技機（１１）側より遊技者に払い出された遊技媒体の数量に応じて、順次点灯するように表示可能であることを特徴とする［１］，［２］，［３］，［４］，［５］または［６］記載の遊技媒体表示装置（２０）。
【００１４】
［８］前記玉箱表示パネル（２１）とは別に設けられ、遊技媒体の数量を直接数字で表示可能な表示部（４０）を有し、
前記表示部（４０）は、前記遊技機（１１）側より遊技者に払い出された遊技媒体の数量に応じて、該数量が順次加算された値を直接数字で表示可能であることを特徴とする［１］，［２］，［３］，［４］，［５］，［６］または［７］記載の遊技媒体表示装置（２０）。
【００１５】
［９］前記表示部（４０）は、前記玉箱表示パネル（２１）と並ぶように前記イス（２）の背面側に設けられることを特徴とする［８］記載の遊技媒体表示装置（２０）。
【００１６】
［１０］前記表示部（４０）は、自動的または遊技者の操作に基づき、順次数字が加算されるデモ表示状態を表示可能であることを特徴とする［８］または［９］記載の遊技媒体表示装置（２０）。
【００１７】
［１１］前記表示部（４０）は、７セグメントＬＥＤから成る複数の数表示ユニット（４１）を基盤（４２）上に並設して構成することを特徴とする［８］，［９］または［１０］記載の遊技媒体表示装置（２０）。
【００１８】
［１２］前記遊技機（１１）は２台単位で一体に隣り合わせに配設されており、前記イス（２）はペアシートとして構成され、
前記表示部（４０）は、前記２台分の遊技機（１１）側より遊技者に払い出された遊技媒体の数量に応じて、該数量が順次加算された値を直接数字で表示可能であることを特徴とする［８］，［９］，［１０］または［１１］記載の遊技媒体表示装置（２０）。
【００１９】
［１３］前記遊技機（１１）は、その遊技機（１１）本体に予め封入された遊技媒体を、該遊技機（１１）本体内で循環させて使用するものであることを特徴とする［１］，［２］，［３］，［４］，［５］，［６］，［７］，［８］，［９］，［１０］，［１１］または［１２］記載の遊技媒体表示装置（２０）。
【００２０】
前記本発明は次のように作用する。
遊技媒体表示装置（２０）の玉箱表示パネル（２１）は、遊技機（１１）周辺の限られたスペースではなく、遊技機（１１）前に設置されるイス（２）の背面側に設けることにより、比較的余裕のある配置スペースにおいて、より大きな面積を確保して設けることができる。玉箱表示パネル（２１）は、平面的な構造のみならず、次述する玉箱表示ユニット（３０ａ，３０ｂ）を立体的に成形するような構造としてもよい。
【００２１】
玉箱表示パネル（２１）は、所定数量の遊技媒体を貯留する玉箱を模した形状に点灯可能な玉箱表示ユニット（３０ａ，３０ｂ）を複数並設して成り、例えばこれらの玉箱表示ユニット（３０ａ，３０ｂ）をイス（２）の背面側の面積に応じて、一列または複数列で上下に積み重なる状態を模して配置させれば、現実に玉箱に遊技媒体を詰めて積み上げるようなイメージを想起させることができる。
【００２２】
各玉箱表示ユニット（３０ａ，３０ｂ）は、遊技機（１１）側より遊技者に払い出された遊技媒体の数量に応じて、順次点灯するように表示可能であるため、遊技者が獲得する遊技媒体数が玉箱相当の所定量ずつ増大する度に、例えば、下方に位置する玉箱表示ユニット（３０ａ，３０ｂ）より、順次上方の玉箱表示ユニット（３０ａ，３０ｂ）に向かって点灯するように制御するとよい。ここで「遊技機（１１）側より払い出された遊技媒体の数量」の計数は、遊技機（１１）自体の関連機器のみならず、遊技機（１１）とは別にこれを管理する制御手段（２１０）により計数する場合も含む意味である。
【００２３】
このような玉箱表示パネル（２１）の表示により、あたかも現実の玉箱が積み上げられるかの如く、遊技媒体の獲得を視覚的に強く明確に遊技者および周囲に知らしめることができ、実際にパチンコ玉が払い出されている出玉感を十分に惹起させることが可能となる。なお、各玉箱表示ユニット（３０ａ，３０ｂ）の点灯とは、継続して点灯する状態のみならず、点灯を間欠的に繰り返すような点滅の状態も含む概念である。
【００２４】
また、前記各玉箱表示ユニット（３０ａ，３０ｂ）は、それぞれ点灯時に示唆する遊技媒体の数量が互いに異なる複数種類の大きさに形成すれば、これら大きさの異なる各玉箱表示ユニット（３０ａ，３０ｂ）を適宜組み合わせての点灯表示により、玉箱表示パネル（２１）の限られたスペース内でより広い範囲の数量を示唆する表示態様を実現することができる。
【００２５】
具体的には例えば、大きい玉箱表示ユニット（３０ａ，３０ｂ）は、小さい玉箱表示ユニット（３０ａ，３０ｂ）の５つ分の数量を表示するように設定しておき、小さい玉箱表示ユニット（３０ａ，３０ｂ）が５つとも点灯した後、さらに遊技媒体数が増えたら、小さい玉箱表示ユニット（３０ａ，３０ｂ）の５つに代えて大きい玉箱表示ユニット（３０ａ，３０ｂ）を１つだけ点灯させる等の表示制御が可能となる。
【００２６】
また、前記各玉箱表示ユニット（３０ａ，３０ｂ）により、遊技機（１１）において遊技者に有利な特別遊技状態が発生した場合には、その旨を報知する特別表示状態を表示するように設定すれば、かかる特別表示状態の発生をさらに盛り上げるような面白味のある表示上の演出が可能となる。
【００２７】
また、前記各玉箱表示ユニット（３０ａ，３０ｂ）で、自動的または遊技者の操作に基づき、前記遊技機（１１）側より遊技者に払い出された遊技媒体の数量とは関係なく、順次点灯するデモ表示状態を表示できるように設定すれば、玉箱表示パネル（２１）における具体的な表示の仕方を事前に容易かつ明確に周知させることが可能となる。
【００２８】
前記各玉箱表示ユニット（３０ａ，３０ｂ）は、具体的には例えば、それぞれ正面側が開口したハウジング（３１ａ，３１ｂ）の内部に正面側を照射する複数の発光体（３２）を配設し、前記ハウジング（３１ａ，３１ｂ）の正面側に玉箱を象った切欠（２５ａ，２５ｂ）を形成した板材（２５）を装着して構成すれば、簡易かつ容易に製造することができ、見た目もリアルな玉箱を模した表示を実現することができる。
【００２９】
また、前記遊技機（１１）は２台単位で一体に隣り合わせに配設されて、その前に設置されるイス（２）をペアシートとして構成すれば、このペアシートの２人分の背凭れの背面側において、玉箱表示パネル（２１）の十分に広い配置スペースを余裕で確保できるため、より大きな面積での分かり易い表示を行うことができる。
【００３０】
ここで各玉箱表示ユニット（３０ａ，３０ｂ）に、２台分の遊技機（１１）側より払い出された遊技媒体の数量を表示するようにすれば、よりインパクトのある遊技媒体数の表示が可能となる。ペアシートに設けた各玉箱表示ユニット（３０ａ，３０ｂ）には、２人分の遊技媒体の数量を合計してまとめて一緒に表示するとよいが、あるいはまた、２人分の遊技媒体の数量を別々に分けて表示するようにしてもかまわない。
【００３１】
さらに、前記玉箱表示パネル（２１）とは別に、遊技媒体の数量を直接数字で表示可能な表示部（４０）も併せて設けるようにすれば、前記各玉箱表示ユニット（３０ａ，３０ｂ）によるイメージ的な表示を補完するような関係で、各玉箱表示ユニット（３０ａ，３０ｂ）の点灯だけでは把握しきれない正確な遊技媒体の数量を容易に認識させることが可能となる。また、前記表示部（４０）も、前記玉箱表示パネル（２１）と並ぶようにイス（２）の背面側に設ければ、２つの表示形態を一度に併せて見ることができる。
【００３２】
また、表示部（４０）でも、前記玉箱表示パネル（２１）と同様に、自動的または遊技者の操作に基づき、前記遊技機（１１）側より遊技者に払い出される遊技媒体の数量とは関係なく、順次数字が加算されるデモ表示状態を表示できるように設定すれば、表示部（４０）における具体的な表示の仕方を事前に容易かつ明確に周知させることが可能となる。このような表示部（４０）も、ペアシート（２）の背面側に設ければなおよい。
【００３３】
前記表示部（４０）は、具体的には例えば、７セグメントＬＥＤから成る複数の数表示ユニット（４１）を基盤（４２）上に並設して構成すれば、簡易かつ容易に製造することができ、見た目も分かりやすい数量の直接的な表示を実現することができる。
【００３４】
さらに、本遊技媒体表示装置（２０）を付設する遊技機（１１）が、その遊技機（１１）本体に予め封入された遊技媒体を、該遊技機（１１）本体内で循環させて使用するものであれば、実際には遊技機（１１）本体に還元される遊技媒体を、前述した玉箱表示パネル（２１）や表示部（４０）によりなおさら出玉感を損なわないように分かり易く表示することができる。
【００３５】
【発明の実施の形態】
以下、図面に基づき本発明を代表する一の実施の形態を説明する。
図１〜図１６は本発明の一実施の形態を示している。
本実施の形態に係る遊技媒体表示装置２０は、遊技媒体としてパチンコ玉（以下、単に「玉」とも略す。）を用いる遊技機から遊技者が獲得したパチンコ玉の数量を目視可能に表示するための装置である。以下、遊技機として２台のパチンコ機本体１１を隣設して成る遊技装置１０の前方に設置されたペアシート（イス）２の背面側に設ける場合を例に説明する。
【００３６】
先ず遊技装置１０全体の概要を説明する。
図１に示すように、遊技装置１０は、２台のパチンコ機本体１１を一体に隣り合わせに配設した両脇に、それぞれ遊技者が投入したカードを介してパチンコ玉を貸し出す玉貸機１２を並設して成る。２台ずつ並ぶ各パチンコ機本体１１および各玉貸機１２は、１つの遊技台１に一体に支持されており、いわゆる２台分相当の遊技機島として構成されている。また、遊技台１の前方にはペアシート２が設置される。
【００３７】
各パチンコ機本体１１は、遊技者によるハンドル１３の回転操作により、遊技盤面１４上に実際のパチンコ玉を１個ずつ打ち出し、かかる打ち出された玉の入賞を競い楽しむゲーム機である。ここでハンドル１３の回転操作により打ち出されるパチンコ玉は、ハンドル１３の正面側の遊技盤面１４ではなく、互いに隣に位置する方の遊技盤面１４に打ち出されるように構成してもよい。
【００３８】
パチンコ機本体１１の内部には、予め所定数量のパチンコ玉が封入されており、このパチンコ玉が繰り返し遊技に利用されるように構成されている。また、各パチンコ機本体１１の両脇には、各種操作を行うための操作部１３０や表示部１４０も設けられている。表示部１４０には、後述する表示部４０と同様に景品玉の数量のデジタル表示のほか、色々な遊技内容等を表示することができるように設定するとよい。
【００３９】
各パチンコ機本体１１の遊技盤面１４には、図示省略したが自由落下するパチンコ玉を様々な方向に弾く数多の障害釘や各種役物、それに各種入賞口やアウト口等が適所に配設されている。パチンコ玉が各種入賞口に入賞すると、各種入賞口ごとに予め決められた数量のパチンコ玉が賞として払い出される。なお、賞として払い出されたパチンコ玉を「景品玉」とも称する。
【００４０】
遊技盤面１４の下方には、貸出玉や景品玉を貯留する上受け皿１５と、該上受け皿１５からオーバーフローした玉を貯留する下受け皿１６と、該下受け皿１６からさらにオーバーフローした景品玉を受ける玉受口部１７が設けられている。遊技台１の内部には、図１６に示すように、玉受口部１７から導かれる景品玉を随時計数するように各台ごとに設けられた景品玉計数機１８や、玉研磨装置１００等も設けられている。
【００４１】
景品玉計数機１８により計数された景品玉の数量は、本発明の根幹を成す遊技媒体表示装置２０により表示される。また、景品玉は景品玉計数機１８により計数された後、玉研磨装置１００のホッパー１１０に収納されて順次研磨されてから、玉揚送筒５によりパチンコ機本体１１の上部にある補給樋６まで揚送され、補給玉計数機７を経て再びパチンコ機本体１１の内部に補充されるように構成されている。
【００４２】
また、遊技盤面１４上に打ち出されて何れの入賞口にも入らなかった玉は、アウト口より回収され、アウト玉計数機１２０を通って前記ホッパー１１０に流下し、前記景品玉と同様に玉研磨装置１００により研磨・揚送される。玉研磨装置１００には、研磨すべきパチンコ玉を検知するための遊技媒体検出部Ｓ１が設けられ、また、玉揚送筒５の下端部には、通過するパチンコ玉を検知するための遊技媒体検出部Ｓ２が設けられている。さらに、補給樋６には、補給されたパチンコ玉の数量を検出するための補給玉検出部Ｓ３が設けられている。
【００４３】
遊技媒体検出部Ｓ１によって研磨すべきパチンコ玉が無いことが検知されると、駆動制御部２００の制御によって玉研磨装置１００が駆動停止する。また、遊技媒体検出部Ｓ２によって遊技媒体表示装置２０の下端部を通過するパチンコ玉が無いことが検知され、かつ遊技媒体検出部Ｓ１によって研磨すべきパチンコ玉が有ることが検知されると、玉研磨装置１００の駆動機構や駆動源が異常であることが判明する。さらに、補給玉検出部Ｓ３によって補給されたパチンコ玉の量が足りないことを検知すると、駆動制御部２００の制御によって玉研磨装置１００が駆動開始し、反対に、補給されたパチンコ玉の量が足りることを検知すると、駆動制御部２００によって玉研磨装置１００が駆動停止する。
【００４４】
遊技装置１０はデータ収集装置２１０を備えている。データ収集装置２１０には、パチンコ機本体１１から遊技状態信号、アウト玉計数機１２０からアウト玉信号、景品玉計数機１８から景品玉信号、補給樋６から補給玉信号、パチンコ機本体１１の上部タンクから玉貸機売上信号がそれぞれ送信される。データ収集装置２１０はこれらの信号を収集し、収集された信号は、遊技場管理装置２２０に送信されるようになっている。
【００４５】
次に遊技媒体表示装置２０について説明する。
図１〜図３に示すように、遊技媒体表示装置２０は、前述した遊技装置１０から遊技者が獲得したパチンコ玉（景品玉）の数量を目視可能に表示するための装置であり、遊技装置１０前に設置されるペアシート２の背面側に設けられる。ここでペアシート２は、２人分の着座面を備えたシートクッション３とシートバック４とから成り、遊技媒体表示装置２０は、シートバック４の背面側のほぼ全域を覆うように設けられている。
【００４６】
遊技媒体表示装置２０は、玉箱表示パネル２１と表示部４０とを有する。玉箱表示パネル２１は、所定数量のパチンコ玉を貯留する玉箱を模した形状に点灯可能な玉箱表示ユニット３０ａ，３０ｂを複数並設して成り、各玉箱表示ユニット３０ａ，３０ｂは、前記遊技装置１０側より遊技者に払い出され前記景品玉計数機１８により計数されたパチンコ玉の数量に応じて、順次点灯するように表示可能なものである。
【００４７】
表示部４０は、７セグメントＬＥＤから成る数表示ユニット４１を複数並設して成り、各数表示ユニット４１は、前記遊技装置１０側より遊技者に払い出され前記景品玉計数機１８により計数されたパチンコ玉の数量に応じて、該数量が順次加算された値を直接数字で表示可能なものである。
【００４８】
詳しくは図４に示すように、遊技媒体表示装置２０は、シートバック４の背面側に沿って設ける外装枠２２と、この外装枠２２の内壁を形成するベニヤ等の内板材２３とから枠組みが構成され、この枠組み内部に、前記玉箱表示パネル２１の玉箱表示ユニット３０ａ，３０ｂが上下左右に並ぶように配置され、各玉箱表示ユニット３０ａの上方に表示部４０の数表示ユニット４１が横一列に並ぶように配置される。
【００４９】
さらに、外装枠２２の正面側には、先ず玉箱表示パネル２１を覆う形状の透明なアクリル板２４が装着され、その上に各玉箱表示ユニット３０ａ，３０ｂごとに玉箱を象った切欠２５ａ，２５ｂが形成されたベニヤ等の外板材２５（図８参照）が装着され、さらにその上に数表示ユニット４１も含め外装枠２２の正面側全体を覆うスモーク加工されたアクリル板２６（図９参照）が装着されて、遊技媒体表示装置２０は構成される。
【００５０】
また、遊技媒体表示装置２０には、玉箱表示パネル２１の各玉箱表示ユニット３０ａ，３０ｂや表示部４０の各数表示ユニット４１の表示制御を行う電源制御部５０とそのデモスイッチ５１が付設されている。ここで電源制御部５０は、インターフェース，ＣＰＵ，ＲＡＭ，ＲＯＭ等から構成されたマイクロコンピュータから成り、所定の表示プログラムに従って遊技媒体表示装置２０全体の表示制御を実行する。電源制御部５０は、信号線を介して図１６に示すデータ収集装置２１０や遊技場管理装置２２０に接続されている。なお、電源制御部５０による遊技媒体表示装置２０の具体的な表示制御の内容については後述する。
【００５１】
前記各玉箱表示ユニット３０ａ，３０ｂは、それぞれ点灯時に示唆するパチンコ玉の数量が互いに異なる複数種類の大きさに形成されている。本実施の形態では、２０００個分のパチンコ玉の数量を表示する小さな玉箱表示ユニット３０ａと、２００００個分のパチンコ玉の数量を表示する大きな玉箱表示ユニット３０ｂとが用意されている。
【００５２】
図５は、パチンコ玉２０００個相当の玉箱表示ユニット３０ａを示しており、同図（ａ）は平面図、同図（ｂ）は正面図、同図（ｃ）は右側面図である。詳しく言えば玉箱表示ユニット３０ａは、正面側が開口したハウジング３１ａと、該ハウジング３１ａの背面壁に正面側を向くように横３列に配設された発光体３２とから成る。なお、各ハウジング３１ａの正面側は、前記外板材２５に形成された玉箱型の切欠２５ａ（図８参照）がちょうど合致するように配置される。なお、発光体３２には、電球や高輝度発光ダイオード等を用いるとよい。
【００５３】
図６は、パチンコ玉２００００個相当の玉箱表示ユニット３０ｂを示しており、同図（ａ）は平面図、同図（ｂ）は正面図、同図（ｃ）は右側面図である。詳しく言えば玉箱表示ユニット３０ｂは、前記玉箱表示ユニット３０ａよりも相当大きく形成されているが基本的な構成は前記玉箱表示ユニット３０ａと同様であり、正面側が開口したハウジング３１ｂと、該ハウジング３１ｂの背面壁に正面側を向くように横３列・縦２列に配設された発光体３２とから成る。なお、各ハウジング３１ｂの正面側は、前記外板材２５に形成された玉箱型の切欠２５ｂ（図８参照）がちょうど合致するように配置される。
【００５４】
各玉箱表示ユニット３０ａ，３０ｂの具体的な配置は、図１に示すように、最下段に２つの玉箱表示ユニット３０ｂが左右に並んで配置され、これらの上方に横３列で上下に５段ずつ積み重なるように各玉箱表示ユニット３０ａが配置されている。さらに、最上段に並ぶ各玉箱表示ユニット３０ａの上方に、表示部４０が略同一平面に並ぶように配置される。なお、図１では、各玉箱表示ユニット３０ａ，３０ｂの正面側が個別のカバー部材で閉じられ、アクリル板２４に相当する表面上に多少出っ張る状態が図示されるが、正確には図２，図４に示すように、各玉箱表示ユニット３０ａ，３０ｂの正面側に、順にアクリル板２４、外板材２５およびアクリル板２６が重なり合うように装着されて構成される。もちろんどちらの構成であってもよい。
【００５５】
図７は、表示部４０の詳細を示しており、同図（ａ）は平面図、同図（ｂ）は正面図、同図（ｃ）は右側面図である。詳しく言えば表示部４０は、基盤４２上に５つの数表示ユニット４１を横一列に並設して成り、パチンコ玉の数量を５桁までの数字でデジタル表示可能に構成されている。なお、前述したが各数表示ユニット４１は７セグメントＬＥＤから成り、前記玉箱表示パネル２１の各玉箱表示ユニット３０ａ，３０ｂと同様に電源制御部５０によって表示制御される。
【００５６】
次に本実施の形態の作用を説明する。
図１において、遊技を開始するに際しては、先ず遊技者はカードを介して玉貸機１２より、パチンコ機本体１１に予め封入されている実際のパチンコ玉を受けとる。ここで貸し出し操作は、玉貸機１２脇にある操作部１３０の操作により行い、貸出玉の数量を表示部１４０に一時的に表示するようにしてもよい。
【００５７】
パチンコ機本体１１では、上受け皿１５に実際のパチンコ玉があれば、ハンドル１３の回転操作に基づき、パチンコ玉が１つずつ遊技盤面１４上に打ち出される。かかるパチンコ玉が遊技盤面１４上にある各種入賞口に入賞すると、各種入賞口ごとに予め決められた数量のパチンコ玉が賞として払い出される。このように景品玉は、パチンコ機本体１１の内部から先ず上受け皿１５に実際のパチンコ玉として払い出される。
【００５８】
遊技中において、消費するパチンコ玉より多くの景品玉の払い出しが続くと、上受け皿１５からオーバーフローした景品玉は下受け皿１６に貯留され、さらに下受け皿１６からオーバーフローした景品玉は玉受口部１７に導入される。玉受口部１７に導入された景品玉は景品玉計数機１８により順次計数される。ここでの計数結果であるパチンコ玉の数量は、図１６に示すデータ収集装置２１０および遊技場管理装置２２０に入力され、データ収集装置２１０からの指令に基づき、本発明の根幹を成す遊技媒体表示装置２０によって目視可能に表示される。
【００５９】
本実施の形態では、遊技装置１０における２台分のパチンコ機本体１１の各景品玉計数機１８により計数された景品玉の数量の合計が、遊技媒体表示装置２０を成す玉箱表示パネル２１の各玉箱表示ユニット３０ａ，３０ｂの点灯により表示されると共に、玉箱表示パネル２１の上方に並んで配された表示部４０により直接数字としても表示される。ここで遊技媒体表示装置２０は、ペアシート２の背面側に設けられており、主として遊技者よりも周囲に表示内容を知らしめることができるが、遊技者側にも景品玉の数量を確認しやすいように、玉貸機１２脇の表示部１４０にも併せてデジタル表示すればよい。
【００６０】
図１に示すように、遊技媒体表示装置２０の玉箱表示パネル２１は、各パチンコ機本体１１周辺の限られたスペースではなく、遊技装置１０の前に設置されるペアシート２のシートバック４の背面側に設けられるので、比較的余裕のある配置スペースにおいて、より大きな面積を確保して設けることができる。特に本実施の形態では、ペアシート２であるため、このペアシート２の２人分のシートバック４の背面側において、玉箱表示パネル２１の十分に広い配置スペースを余裕で確保できるため、より大きな面積での分かり易い表示を行うことができる。
【００６１】
玉箱表示パネル２１は、所定数量の遊技媒体を貯留する玉箱を模した形状に点灯可能な玉箱表示ユニット３０ａ，３０ｂを複数並設して成り、これらの玉箱表示ユニット３０ａ，３０ｂをシートバック４の背面側の面積に応じて、複数列で上下に積み重なる状態を模して配置させたので、現実に玉箱にパチンコ玉を詰めて積み上げるようなイメージをよりリアルに想起させることができる。
【００６２】
各玉箱表示ユニット３０ａ，３０ｂは、各パチンコ機本体１１側より遊技者に払い出されたパチンコ玉の数量の合計値に応じて、前記データ収集装置２１０および電源制御部５０による制御によって順次点灯するように表示される。すなわち、遊技者が獲得する景品玉数が実際の玉箱相当の所定量（約２０００個）ずつ増大する度に、下方に位置する玉箱表示ユニット３０ａより、順次上方の玉箱表示ユニット３０ａに向かって点灯するように表示制御される。
【００６３】
以下、図１０〜図１５に基づいて、玉箱表示パネル２１による表示の概要について説明する。図中において、斜線で塗りつぶした各玉箱表示ユニット３０ａ，３０ｂが点灯していることを示す。先ず図１０に示すように、前記景品玉計数機１８により計数された景品玉数が２０００個以上〜４０００個未満の場合には、左下の玉箱表示ユニット３０ａが１つだけ全灯表示される。その後、景品玉数が増加する度に、２０００個単位で左下の玉箱表示ユニット３０ａから上方に向かって玉箱表示ユニット３０ａが１つずつ全灯表示され、図１１に示すように、景品玉数が１００００個未満の状態で、左列にある５つの玉箱表示ユニット３０ａが総て全灯表示される。
【００６４】
続いて、２０００個以上ずつ景品玉数が増加する度に、中列の玉箱表示ユニット３０ａの下側から順に点灯表示され、図１２に示すように、景品玉数が２００００個未満の状態になると、左列のほか中列にある５つの玉箱表示ユニット３０ａも総て全灯表示される。続いて、２０００個以上ずつ景品玉数が増加する度に、右列の玉箱表示ユニット３０ａの下側から順に点灯表示され、図１３に示すように、景品玉数が３００００個未満の状態になると、左列、中列のほか右列にある５つの玉箱表示ユニット３０ａも総て全灯表示される。
【００６５】
さらに、図１４に示すように、景品玉数が３００００個を越えると、１つで持玉数２００００個の全灯表示を行う左下の玉箱表示ユニット３０ｂが全灯表示され、併せて左列にある５つの玉箱表示ユニット３０ａも総て全灯表示される。以上のような流れで、各玉箱表示ユニット３０ａ，３０ｂは順次点灯表示され、図１５に示すように、景品玉数が７００００個まで溜まった時点で、合計１５個の玉箱表示ユニット３０ａと合計２個の玉箱表示ユニット３０ｂが総て点灯表示される。
【００６６】
以上のような玉箱表示パネル２１の表示により、あたかも現実の玉箱が積み上げられるかの如く、パチンコ玉の獲得を視覚的に強く明確に遊技者および周囲に知らしめることができ、実際にパチンコ玉が払い出されている出玉感を十分に惹起させることが可能となる。なお、各玉箱表示ユニット３０ａ，３０ｂの点灯とは、継続して点灯する状態のみならず、点灯を間欠的に繰り返すような点滅の状態も含む概念である。
【００６７】
また、前記各玉箱表示ユニット３０ａ，３０ｂは、それぞれ点灯時に示唆するパチンコ玉の数量が互いに異なる２種類の大きさに形成されているので、これら大きさの異なる各玉箱表示ユニット３０ａ，３０ｂを適宜組み合わせての点灯表示により、玉箱表示パネル２１の限られたスペース内でより広い範囲の数量を示唆する表示態様を実現することができる。
【００６８】
前述した玉箱表示パネル２１による表示と同時に、パチンコ玉の数量の合計値はそのまま数値としても表示部４０により併せて表示される。このように表示部４０も併せて設けることで、前記各玉箱表示ユニット３０ａ，３０ｂによるイメージ的な表示を補完するような関係で、各玉箱表示ユニット３０ａ，３０ｂの点灯だけでは把握しきれない正確な景品玉の数量を容易に認識させることが可能となる。
【００６９】
表示部４０は、５桁分に相当する５つの数表示ユニット４１を有して成るので、かかる表示部４０には、最大９９９９９個分の景品玉数を１個単位で表示することができる。また、前記表示部４０も、前記玉箱表示パネル２１と並ぶようにペアシート２のシートバック４の背面側に設けられているので、２つの表示形態を一度に併せて見ることができる。
【００７０】
図４に示すように、電源制御部５０のデモスイッチ５１には、遊技媒体表示装置２０に表示される玉数が自動的に増加するデモ表示状態の実行を指示するオートデモスイッチ５２と、同じく遊技媒体表示装置２０に表示される玉数が手動操作に基づき増減するデモ表示状態の実行を指示する上下一対のマニュアルデモスイッチ５３ａ，５３ｂと、デモ表示状態を終了させて持玉数の表示を実行させるデモ終了スイッチ５４とを有する。
【００７１】
デモ表示状態においては、玉箱表示パネル２１の各玉箱表示ユニット３０ａ，３０ｂは順次点灯し、表示部４０には、所定数ずつ加算あるいは減算される数字が表示される。このようなデモ表示状態を表示できるので、玉箱表示パネル２１における具体的な表示の仕方を事前に容易かつ明確に周知させることが可能となる。なお、前述したデモ表示状態は、何れも前記電源制御部５０によって表示制御される。
【００７２】
自動的にデモ表示状態の表示を実行するには、オートデモスイッチ５２を押下すればよい。かかるオートデモスイッチ５２の押下により、例えば２０００個増加／約０．３〜０．５秒のペースで、各玉箱表示ユニット３０ａ，３０ｂが自動的に順次点灯すると共に、表示部４０に表示される数字が自動的に加算される。そして、表示された玉数が７００００個まで到達した時点で総ての玉箱表示ユニット３０ａ，３０ｂが消灯し、再度０個からデモ表示が繰り返される。なお、デモ終了スイッチ５４の押下によりデモ表示状態は終了し、パチンコ機本体１１から払い出される景品玉数が表示される。
【００７３】
手動によりデモ表示状態の表示を実行するには、上のマニュアルデモスイッチ５３ａの押下により、玉箱表示ユニット３０ａが１つ自動的に点灯すると共に、表示部４０に２０００個が数字として表示される。再びマニュアルデモスイッチ５３ａを押下すると、玉箱表示ユニット３０ａがさらに１つ自動的に点灯すると共に、表示部４０に２０００個が加算され４０００個が数字として表示される。また、マニュアルデモスイッチ５３ａを継続的に押下すると、例えば２０００個増加／約０．３〜０．５秒のペースで、各玉箱表示ユニット３０ａ，３０ｂが自動的に順次点灯すると共に、表示部４０に表示される数字が自動的に加算される。
【００７４】
一方、下のマニュアルデモスイッチ５３ｂの押下により、玉箱表示ユニット３０ａが１つ自動的に消灯すると共に、表示部４０に２０００個が減算された数字が表示される。再びマニュアルデモスイッチ５３ｂを押下すると、玉箱表示ユニット３０ａがさらに１つ消灯すると共に、表示部４０もさらに２０００個が減算された数字が表示される。また、マニュアルデモスイッチ５３ｂを継続的に押下すると、例えば２０００個減算／約０．３〜０．５秒のペースで、各玉箱表示ユニット３０ａ，３０ｂが順次消灯すると共に、表示部４０に表示される数字が２０００個単位で減算される。なお、デモ終了スイッチ５４の押下によりデモ表示状態は終了し、パチンコ機本体１１から払い出される景品玉数が表示される。
【００７５】
さらにまた、本実施の形態に係るパチンコ機本体１１は、詳しく言えば、パチンコ玉が始動口に入賞すると、中央役物であり液晶ディスプレイから成る可変表示装置で図柄等の各種識別情報が例えば３個並列に可変表示され、この可変表示停止後の表示結果が、例えば『７，７，７』の如く所定の大当たり態様に確定すると、大入賞口が一定回数まで開閉する特別遊技状態が発生するフィーバー機に相当する。
【００７６】
このようなパチンコ機本体１１において、遊技中に前記特別遊技状態が発生した場合には、前記各玉箱表示ユニット３０ａ，３０ｂにより、特別遊技状態が発生した旨を報知する特別表示状態を表示させる。すなわち、各玉箱表示ユニット３０ａ，３０ｂにより表示されていた景品玉数の表示の代わりに、一時的に各玉箱表示ユニット３０ａ，３０ｂが全点滅、順次点滅、全点灯を行うように電源制御部５０によって表示制御される。
【００７７】
また、遊技中に上受け皿１５中の実際のパチンコ玉を総て消費したような場合には、前記遊技媒体表示装置２０に表示されている景品玉数の範囲内で、例えば操作部１３０による所定の操作に基づき、一定数量ずつ実際のパチンコ玉の払い出しを受けられるように設定するとよい。それにより、遊技者は遊技媒体表示装置２０に表示されている景品玉数の範囲内で、遊技を続行することが可能となる。なお、実際にパチンコ玉が払い出された分は、遊技媒体表示装置２０より減算表示されることになる。
【００７８】
以上、本発明の実施の形態を図面によって説明してきたが、具体的な構成は前述した実施の形態に限られるものではなく、本発明の要旨を逸脱しない範囲における変更や追加があっても本発明に含まれる。例えば、前記遊技媒体表示装置２０を付設する遊技機はパチンコ機の他に、遊技媒体として玉を使う各種ゲーム機（例えば、アレンジボール機等）にも適用でき、遊技媒体としてメダルを使うようなスロットマシンに適用してもよい。
【００７９】
また、前記実施の形態では、２台分のパチンコ機本体１１を一体に隣り合わせて遊技装置１０を構成しているが、もちろん１台分のパチンコ機本体１１からいわゆる単体島として構成するようにして、かかる単体島の前に設置されるイスの背面側に、１台分のパチンコ機本体１１から払い出されるパチンコ玉の数量を表示する遊技媒体表示装置を設けるようにしてもよい。
【００８０】
また、前記実施の形態では、ペアシート２の背面側に設けた各玉箱表示ユニット３０ａ，３０ｂには、２人分の遊技媒体の数量を合計してまとめて一緒に表示するように設定したが、あるいはまた、各パチンコ機本体１１ごとに２人分のパチンコ玉の数量を別々に分けて表示するようにしてもかまわない。また、正確な持玉数を表示する必要がないような場合に限り、表示部４０を省いて玉箱表示パネル２１のみで遊技媒体表示装置２０を構成するようにしてもよい。
【００８１】
さらにまた、前記実施の形態では、各パチンコ機本体１１ごとに景品玉計数機１８を設けたが、景品玉計数機１８を具備しない遊技装置や単体島等では、出玉と入玉の差を表示するように設定するとよい。ここで出玉とは、遊技者に払い出されたパチンコ玉数であり、入玉とは、アウト玉数と各種入賞口に入賞したセーフ玉数とを合わせた数量である。また、前記玉貸機１２により貸玉があった場合には、前記遊技媒体表示装置２０における表示をリセットするように構成してもよい。
【００８２】
【発明の効果】
本発明に係る遊技媒体表示装置によれば、玉箱表示パネルは、所定数量の遊技媒体を貯留する玉箱を模した形状に点灯可能な玉箱表示ユニットを複数並設して成り、遊技者が獲得した遊技媒体の数量を、玉箱を模して表示することにより、遊技媒体の出玉感や溜まり具合をより強く遊技者および周囲にも実感させることができ、遊技者のみならず遊技場全体におけるスリルと興奮を増大させることができる。しかも、玉箱表示パネルは、遊技機周辺の限られたスペースではなく、遊技機前に設置されるイスの背面側に設けることにより、比較的余裕のある配置スペースにおいて、より大きな面積を確保して設けることができる。
【００８３】
また、前記各玉箱表示ユニットは、それぞれ点灯時に示唆する遊技媒体の数量が互いに異なる複数種類の大きさに形成すれば、これら大きさの異なる各玉箱表示ユニットを適宜組み合わせての点灯表示により、玉箱表示パネルの限られたスペース内でより広い範囲の数量を示唆する表示態様を実現することができる。
【００８４】
また、前記各玉箱表示ユニットにより、遊技機において遊技者に有利な特別遊技状態が発生した場合には、その旨を報知する特別表示状態を表示するように設定すれば、かかる特別表示状態の発生をさらに盛り上げるような面白味のある表示上の演出が可能となる。
【００８５】
また、前記各玉箱表示ユニットで、自動的または遊技者の操作に基づき、前記遊技機側より遊技者に払い出された遊技媒体の数量とは関係なく、順次点灯するデモ表示状態を表示できるように設定すれば、玉箱表示パネルにおける具体的な表示の仕方を事前に容易かつ明確に周知させることが可能となる。
【００８６】
また、前記遊技機は２台単位で一体に隣り合わせに配設されて、その前に設置されるイスをペアシートとして構成すれば、このペアシートの２人分の背凭れの背面側において、玉箱表示パネルの十分に広い配置スペースを余裕で確保できるため、より大きな面積での分かり易い表示を行うことができる。
【００８７】
さらに、前記玉箱表示パネルとは別に、遊技媒体の数量を直接数字で表示可能な表示部も併せて設けるようにすれば、前記各玉箱表示ユニットによるイメージ的な表示を補完するような関係で、各玉箱表示ユニットの点灯だけでは把握しきれない正確な遊技媒体の数量を容易に認識させることが可能となる。また、前記表示部も、前記玉箱表示パネルと並ぶようにイスの背面側に設ければ、２つの表示形態を一度に併せて見ることができる。
【図面の簡単な説明】
【図１】本発明の一実施の形態に係る遊技媒体表示装置を遊技装置のペアシートの背面側に設けた状態を示す斜視図である。
【図２】本発明の一実施の形態に係る遊技媒体表示装置を遊技装置のペアシートの背面側に設けた状態を示す正面図である。
【図３】本発明の一実施の形態に係る遊技媒体表示装置を遊技装置のペアシートの背面側に設けた状態を示す側面図である。
【図４】本発明の一実施の形態に係る遊技媒体表示装置を分解して示す斜視図である。
【図５】本発明の一実施の形態に係る遊技媒体表示装置の玉箱表示パネルを構成する小さい方の玉箱表示ユニットを示す（ａ）平面図、（ｂ）正面図、（ｃ）右側面図である。
【図６】本発明の一実施の形態に係る遊技媒体表示装置の玉箱表示パネルを構成する大きい方の玉箱表示ユニットを示す（ａ）平面図、（ｂ）正面図、（ｃ）右側面図である。
【図７】本発明の一実施の形態に係る遊技媒体表示装置の表示部を示す（ａ）平面図、（ｂ）正面図、（ｃ）右側面図である。
【図８】本発明の一実施の形態に係る遊技媒体表示装置の玉箱表示パネルを構成する外板材を示す正面図である。
【図９】本発明の一実施の形態に係る遊技媒体表示装置の玉箱表示パネルを構成するスモーク加工のアクリル板を示す正面図である。
【図１０】本発明の一実施の形態に係る遊技媒体表示装置の玉箱表示パネルにおいて、景品玉数が２０００個以上〜４０００個未満の場合の表示態様を示す作用説明図である。
【図１１】本発明の一実施の形態に係る遊技媒体表示装置の玉箱表示パネルにおいて、景品玉数が１００００個未満の場合の表示態様を示す作用説明図である。
【図１２】本発明の一実施の形態に係る遊技媒体表示装置の玉箱表示パネルにおいて、景品玉数が２００００個未満の場合の表示態様を示す作用説明図である。
【図１３】本発明の一実施の形態に係る遊技媒体表示装置の玉箱表示パネルにおいて、景品玉数が３００００個未満の場合の表示態様を示す作用説明図である。
【図１４】本発明の一実施の形態に係る遊技媒体表示装置の玉箱表示パネルにおいて、景品玉数が３００００個以上溜まった場合の表示態様を示す作用説明図である。
【図１５】本発明の一実施の形態に係る遊技媒体表示装置の玉箱表示パネルにおいて、景品玉数が７００００個まで溜まった場合の表示態様を示す作用説明図である。
【図１６】本発明の一実施の形態に係る遊技媒体表示装置を装備する遊技装置のパチンコ機本体とその内部構造および制御装置を示す説明図である。
【符号の説明】
１…遊技台
２…ペアシート
３…シートクッション
４…シートバック
５…玉揚送筒
６…補給樋
７…補給玉計数機
１０…遊技装置
１１…パチンコ機本体
１２…玉貸機
１３…ハンドル
１４…遊技盤面
１５…上受け皿
１６…下受け皿
１７…玉受口部
１８…景品玉計数機
２０…遊技媒体表示装置
２１…玉箱表示パネル
２２…外装枠
２４…アクリル板
２５…外板材
２５ａ…切欠
２５ｂ…切欠
２６…アクリル板
３０ａ…玉箱表示ユニット
３０ｂ…玉箱表示ユニット
３１ａ…ハウジング
３１ｂ…ハウジング
３２…発光体
４０…表示部
４１…数表示ユニット
５０…電源制御部
５１…デモスイッチ
５２…オートデモスイッチ
５３ａ…マニュアルデモスイッチ
５３ｂ…マニュアルデモスイッチ
５４…デモ終了スイッチ
１００…玉研磨装置
１１０…ホッパー
１２０…アウト玉計数機
１３０…操作部
１４０…表示部
２００…駆動制御部
２１０…データ収集装置
２２０…遊技場管理装置
Ｓ１…遊技媒体検出部
Ｓ２…遊技媒体検出部
Ｓ３…補給玉検出部
【図１】
2004081578.tif 000003
【図２】
2004081578.tif 000004
【図３】
2004081578.tif 000005
【図４】
2004081578.tif 000006
【図５】
2004081578.tif 000007
【図６】
2004081578.tif 000008
【図７】
2004081578.tif 000009
【図８】
2004081578.tif 000010
【図９】
2004081578.tif 000011
【図１０】
2004081578.tif 000012
【図１１】
2004081578.tif 000013
【図１２】
2004081578.tif 000014
【図１３】
2004081578.tif 000015
【図１４】
2004081578.tif 000016
【図１５】
2004081578.tif 000017
【図１６】
2004081578.tif 000018